(57)【特許請求の範囲】
【請求項１】
筐体の前方開口部に、遊技面を構成する前扉が開閉自在に取り付けられており、上記筐体の内面又は前扉の裏面に、遊技に関連する抽選を行う機能を有する主制御基板を収納する主制御基板ケースが取り付けられ、上記主制御基板に、上記抽選の当選確率を変更するための確率変更部が設けられているとともに、上記主制御基板ケースに、この確率変更部を露呈させる露呈孔が設けられた遊技機において、
上記筐体の内面及び前扉の裏面のうち、上記主制御基板ケースの非取付側には、主制御基板ケースの露呈孔に向かって突出する突出部が設けられており、この突出部は、前扉が筐体の前方開口部に閉じられたとき、先端面が主制御基板ケースの露呈孔周辺に当接し、あるいは近接するように設けられており、
上記主制御基板ケースは、筐体の奥壁部内面の上部に取り付けられており、上記突出部は、前扉の裏面の上部に取り付けられかつ副制御基板を収納する副制御基板ケースによって構成されており、
上記副制御基板ケースは、前扉の裏面の上部に対し、液晶表示装置を介在して取り付けられており、この副制御基板ケースと液晶表示装置との間には液晶表示装置の駆動によって発生した熱を放散するための放熱空間が形成されていることを特徴とする遊技機。
【請求項２】
上記放熱空間を形成する液晶表示装置の後面及び副制御基板ケースの前面にはそれぞれ上方に向かって後方に傾斜する傾斜面が形成されており、上記筐体の天板部には、この傾斜面の延長線上に放熱孔が設けられている請求項１記載の遊技機。
【請求項３】
筐体の前方開口部に、遊技面を構成する前扉が開閉自在に取り付けられており、上記筐体の内面又は前扉の裏面に、遊技に関連する抽選を行う機能を有する主制御基板を収納する主制御基板ケースが取り付けられ、上記主制御基板に、上記抽選の当選確率を変更するための確率変更部が設けられているとともに、上記主制御基板ケースに、この確率変更部を露呈させる露呈孔が設けられた遊技機において、
上記筐体の内面及び前扉の裏面のうち、上記主制御基板ケースの非取付側には、主制御基板ケースの露呈孔に向かって突出する突出部が設けられており、この突出部は、前扉が筐体の前方開口部に閉じられたとき、先端面が主制御基板ケースの露呈孔周辺に当接し、あるいは近接するように設けられており、
上記主制御基板ケースは、筐体の奥壁部内面の上部に取り付けられており、上記突出部は、前扉の裏面の上部に取り付けられかつ副制御基板を収納する副制御基板ケースによって構成されており、
上記主制御基板ケースには、その露呈孔を開閉するための設定蓋が回動可能に設けられており、上記副制御基板ケースの先端面には、上記設定蓋が開状態のまま前扉を閉じたとき、設定蓋の開放端と接触して設定蓋を閉じるための接触面が形成されていることを特徴とする遊技機。
【請求項４】
上記前扉の開閉状態を検知する第１の検知手段と、上記主制御基板ケースの設定蓋の開閉状態を検知する第２の検知手段とを備えており、上記主制御基板は、この両検知手段からの信号を受け、前扉の開閉状態及び主制御基板ケースの設定蓋の開閉状態に基づいて上記確率変更部による変更操作が異常であるか否かを判断し、異常と判断したとき確率変更部による変更を無効にするように設けられている請求項３記載の遊技機。
【請求項５】
上記第１及び第２の検知手段は、いずれも開度を検知するものであり、上記主制御基板は、一定開度以上のときのみを開状態と判断するように設けられている請求項４記載の遊技機。
【発明の詳細な説明】
【技術分野】
【０００１】
本発明は、スロットマシンなどの遊技機に関し、特に、遊技に関連する抽選を行う機能を有する主制御基板に、抽選の当選確率を変更する確率変更部を設けた場合の不正行為を防止するためのものに係わる。
【背景技術】
【０００２】
一般に、スロットマシンは、構造的には、回転リール装置やホッパーなどを収納する筐体と、この筐体の前方開口部に開閉自在に取り付けられた遊技面を構成する前扉とからなる。また、近年のスロットマシンは、ＣＰＵや記憶装置などを実装してなる主制御基板によって遊技の中枢を制御し、この主制御基板の制御指令を受ける副制御基板によって前扉に装備される遊技演出用の液晶表示装置及びランプなどの作動を制御するように構成されている。主制御基板による制御においては、スタートレバーの操作に伴って抽選を行い、その抽選結果に応じていわゆる引き込み制御などが行われる。
【０００３】
そして、上記主制御基板は、通常、透明な基板ケース内に収納した状態で筐体の奥壁部内面などに取り付けられている。また、この主制御基板に対し、例えば特許文献１に開示されているように、上記抽選の当選確率を変更するための確率変更部として、設定スイッチと、この設定スイッチによる変更をキーの挿入操作によって有効化するためのキーシリンダとを設けるとともに、基板ケースに、上記設定スイッチ及びキーシリンダを露呈させる露呈孔を設けることにより、基板ケースを取り外すことなく、当選確率の変更操作を行い得るようにしたものが提案され、公知になっている。
【特許文献１】特開２００６−１４１４６１号公報
【発明の開示】
【発明が解決しようとする課題】
【０００４】
ところが、上記提案のものでは、前扉を開けずに、前扉の上部に開けた孔や前扉と筐体の隙間から針金などを筐体内に差し込み、この針金などで主制御基板のキーシリンダ及び設定スイッチを不正に操作して当選確率を変更し、これにより、大量のメダルを不正に獲得するという不正行為が行われる虞がある。
【０００５】
上記特許文献１には、このような不正行為を防止するために、基板ケースに、その露呈孔を開閉するための設定蓋を支軸回りに回動可能に設けるとともに、設定蓋を閉じ方向に付勢するねじりバネを支軸に装着することも開示されている。しかし、この場合でも、例えば２本の針金を前扉と筐体の隙間などから筐体内に差し込み、一方の針金で設定蓋を開けた状態に保持しつつ、他方の針金で主制御基板のキーシリンダ及び設定スイッチを不正に操作することが可能であり、不正行為の防止対策としては十分とは言えない。また、店員などが前扉を開けて当選確率の変更作業を行うときには、設定蓋が邪魔になり、その分作業性が悪くなるという欠点もある。
【０００６】
本発明はかかる諸点に鑑みてなされたものであり、その課題とするところは、上記提案の如く主制御基板に確率変更部を設けるとともに、主制御基板を収納する主制御基板ケースにこの確率変更部を露呈させる露呈孔を設け、かつこの主制御基板ケースを筐体の内面又は前扉の裏面に取り付ける場合、その取付側ではない側つまり非取付側に設けられるものを有効に利用することにより、前扉を開けずに主制御基板の確率変更部を不正に操作する不正行為を確実に防止するとともに、店員などが前扉を開けて当選確率の変更作業するときの作業性を良好に確保し得る遊技機を提供せんとするものである。
【課題を解決するための手段】
【０００７】
上記の課題を解決するため、請求項１に係る発明は、遊技機として、筐体の前方開口部に、遊技面を構成する前扉が開閉自在に取り付けられており、上記筐体の内面又は前扉の裏面に、遊技に関連する抽選を行う機能を有する主制御基板を収納する主制御基板ケースが取り付けられ、上記主制御基板に、上記抽選の当選確率を変更するための確率変更部が設けられているとともに、上記主制御基板ケースに、この確率変更部を露呈させる露呈孔が設けられていることを前提とする。そして、上記筐体の内面及び前扉の裏面のうち、上記主制御基板ケースの非取付側に、主制御基板ケースの露呈孔に向かって突出する突出部を設け、この突出部を、前扉が筐体の前方開口部に閉じられたとき、先端面が主制御基板ケースの露呈孔周辺に当接し、あるいは近接するように設ける構成にする。
【０００８】
この構成では、前扉が筐体の前方開口部に閉じられているときには、主制御基板ケースの非取付側である前扉の裏面又は筐体の内面に設けた突出部が、主制御基板ケースの露呈孔に向かって突出し、その先端面が主制御基板ケースの露呈孔周辺に当接し、あるいは近接しているため、仮に前扉と筐体の隙間などから針金などを筐体内に差し込んだとしてもその針金などで主制御基板の確率変更部を操作することはできず、抽選の当選確率を不正に変更する不正行為が防止される。
【０００９】
一方、店員などが前扉を開けて当選確率の変更作業を行うときには、前扉の開動作に伴って上記突出部の先端面が主制御基板ケースの露呈孔周辺から離間するため、この露呈孔から露呈する主制御基板の確率変更部を操作して当選確率の変更を容易に行うことができる。
【００１０】
請求項１に係る発明は、上記の構成に加えて、主制御基板ケースが筐体の内面に設けられる場合で上記突出部の一つの具体例を提供するものである。すなわち、上記主制御基板ケースは、筐体の奥壁部内面の上部に取り付けられており、上記突出部は、前扉の裏面の上部に取り付けられかつ副制御基板を収納する副制御基板ケースによって構成されている。
【００１１】
請求項１に係る発明は、更に、上記副制御基板ケースを、前扉の裏面の上部に対し、液晶表示装置を介在して取り付け、この副制御基板ケースと液晶表示装置との間に、液晶表示装置の駆動によって発生した熱を放散するための放熱空間を形成する構成にする。この構成では、前扉の裏面の上部に取り付けた液晶表示装置と副制御基板ケースとの間の放熱空間によって、液晶表示装置の駆動によって発生した熱を放散することができる上、筐体の奥壁部内面の上部に取り付けた主制御基板ケースの露呈孔に向かって突出する突出部としての副制御基板ケースの突出寸法を適宜調整することができる。
【００１２】
請求項２に係る発明は、請求項１記載の遊技機において、上記放熱空間を形成する液晶表示装置の後面及び副制御基板ケースの前面に、それぞれ上方に向かって後方に傾斜する傾斜面を形成し、上記筐体の天板部に、この傾斜面の延長線上に放熱孔を設ける構成にする。この構成では、液晶表示装置からこの装置と副制御基板ケースとの間の放熱空間に放出された熱は、液晶表示装置の後面及び副制御基板ケースの前面に形成した傾斜面に沿って上昇し、その延長線上の筐体天井部に設けた放熱孔を通して外部に円滑に放出されることになり、放熱効率を高めることができる。しかも、放熱孔が筐体天井部の後寄り位置に設けられているため、遊技者側から見える遊技機の外観を損なったり、外部に放出した熱が遊技者側に流れたりすることはない。
【００１３】
請求項３に係る発明は、請求項１に係る発明と同じく、遊技機として、筐体の前方開口部に、遊技面を構成する前扉が開閉自在に取り付けられており、上記筐体の内面又は前扉の裏面に、遊技に関連する抽選を行う機能を有する主制御基板を収納する主制御基板ケースが取り付けられ、上記主制御基板に、上記抽選の当選確率を変更するための確率変更部が設けられているとともに、上記主制御基板ケースに、この確率変更部を露呈させる露呈孔が設けられていることを前提とし、上記筐体の内面及び前扉の裏面のうち、上記主制御基板ケースの非取付側に、主制御基板ケースの露呈孔に向かって突出する突出部を設け、この突出部を、前扉が筐体の前方開口部に閉じられたとき、先端面が主制御基板ケースの露呈孔周辺に当接し、あるいは近接するように設ける構成とする。特に、上記主制御基板ケースは、筐体の奥壁部内面の上部に取り付けられており、上記突出部は、前扉の裏面の上部に取り付けられかつ副制御基板を収納する副制御基板ケースによって構成されている。請求項３に係る発明は、更に、上記主制御基板ケースに、その露呈孔を開閉するための設定蓋を回動可能に設ける一方、上記副制御基板ケースの先端面に、上記設定蓋が開状態のまま前扉を閉じたとき、設定蓋の開放端と接触して設定蓋を閉じるための接触面を形成する構成にする。この構成では、主制御基板ケースの露呈孔を開閉するために設けた設定蓋が閉め忘れにより開状態のまま前扉を閉じたときには、前扉の裏面から突出する副制御基板ケースの先端面に形成した接触面が設定蓋の開放端と接触して、設定蓋が閉じられるため、閉じ忘れを補うことができる上、副制御基板ケースの先端面が主制御基板ケースの露呈孔周辺に当接し、あるいは近接していることと相俟って、前扉を閉じたまま主制御基板の確率変更部を操作して当選確率を不正に変更する不正行為を確実に防止することができる。
【００１４】
請求項４に係る発明は、請求項３記載の遊技機において、上記前扉の開閉状態を検知する第１の検知手段と、上記主制御基板ケースの設定蓋の開閉状態を検知する第２の検知手段とを備え、また、上記主制御基板を、この両検知手段からの信号を受け、前扉の開閉状態及び主制御基板ケースの設定蓋の開閉状態に基づいて上記確率変更部による変更操作が異常であるか否かを判断し、異常と判断したとき確率変更部による変更を無効にするように設ける構成にする。この構成では、前扉の開閉状態を第１の検出手段が、主制御基板ケースの設定蓋の開閉状態を第２の検出手段がそれぞれ検知し、主制御基板が、この両検知手段からの信号を受け、前扉の開閉状態及び主制御基板ケースの設定蓋の開閉状態に基づいて確率変更部による変更操作が異常であるか否かを判断し、異常と判断したとき確率変更部による変更を無効にするため、前扉を閉じたまま主制御基板の確率変更部を操作して当選確率を不正に変更する不正行為をより確実に防止することができる。
【００１５】
請求項５に係る発明は、請求項４記載の遊技機において、上記第１及び第２の検知手段を、いずれも開度を検知するものにし、かつ上記主制御基板を、一定開度以上のときのみを開状態と判断するように設ける構成にする。この構成では、前扉の開閉状態を検知する第１の検知手段及び主制御基板ケースの設定蓋の開閉状態を検知する第２の検知手段がいずれも開度を検知し、この両検知手段の信号を受ける主制御基板は、一定開度以上のときのみを開状態と判断するため、誤った開閉状態の判断に基づいた異常判断を防止することができる。
【発明の効果】
【００１６】
以上のように、本発明の遊技機によれば、前扉が閉じられているときには、筐体の内面又は前扉の裏面に設けた突出部の先端面が主制御基板ケースの露呈孔周辺に当接し、あるいは近接しているため、針金などで主制御基板の確率変更部を操作することはできず、抽選の当選確率を不正に変更する不正行為を確実に防止することができる。しかも、店員などが前扉を開けて当選確率の変更作業を行うときには、前扉の開動作に伴って上記突出部の先端面が主制御基板ケースの露呈孔周辺から離間するため、この露呈孔から露呈する主制御基板の確率変更部を操作して当選確率の変更を容易に行うことができ、作業性を良好に確保することができる。
【００１７】
また、上記突出部を副制御基板ケースにより構成することにより、従来の配置構成を変更することなく、不正行為の防止効果を実現することができる上、突出部に対する不正な変更が、副制御基板により制御される装置の異常、例えば表示装置に表示される演出の異常などという形で明確に現れるため、不正の抑止効果を更に高めることができる。
【００１８】
特に、請求項１に係る発明では、前扉の裏面の上部に取り付けた液晶表示装置と副制御基板ケースとの間の放熱空間によって、液晶表示装置の駆動によって発生した熱を放散することができる上、筐体の奥壁部内面の上部に取り付けた主制御基板ケースの露呈孔に向かって突出する突出部としての副制御基板ケースの突出寸法を適宜調整することができるので、実施化を図る上で有効なものである。
【００１９】
請求項２に係る発明では、放熱空間に放出された熱が、液晶表示装置の後面及び副制御基板ケースの前面に形成した傾斜面に沿って上昇し、その延長線上の筐体天井部に設けた放熱孔を通して外部に円滑に放出されるため、放熱効率を高めることができる。しかも、放熱孔が筐体天井部の後寄り位置に設けられているため、遊技者側から見える遊技機の外観を損なったり、外部に放出した熱が遊技者側に流れたりすることはなく、実施化を図る上で一層有効なものである。
【００２０】
請求項３に係る発明では、主制御基板ケースの露呈孔を開閉するために設けた設定蓋が閉め忘れにより開状態のまま前扉を閉じたときには、前扉の裏面から突出する副制御基板ケースの先端面に形成した接触面が設定蓋の開放端と接触して、設定蓋が閉じられるため、閉じ忘れを補うことができる上、副制御基板ケースの先端面が主制御基板ケースの露呈孔周辺に当接し、あるいは近接していることと相俟って、前扉を閉じたまま主制御基板の確率変更部を操作して当選確率を不正に変更する不正行為をより確実に防止することができる。
【００２１】
請求項４に係る発明では、前扉の開閉状態及び主制御基板ケースの設定蓋の開閉状態に基づいて確率変更部による変更操作が異常であるか否かを判断し、異常と判断したときには確率変更部による変更を無効にするため、前扉を閉じたまま主制御基板の確率変更部を操作して当選確率を不正に変更する不正行為を制御面からも防止することができ、不正行為の防止化をより一層確実に図ることができる。
【００２２】
さらに、請求項５に係る発明では、一定開度以上のときのみを開状態と判断するため、誤った開閉状態の判断に基づいた異常判断を防止することができ、制御の信頼性を高めることができるという利点がある。
【発明を実施するための最良の形態】
【００２３】
以下、本発明を実施するための最良の形態である実施形態を図面に基づいて説明する。
【００２４】
図１ないし図４は本発明の第１の実施形態に係る遊技機としてのスロットマシンＡの全体構成を示す。このスロットマシンＡは、前面全体が開口する前方開口部１を有する筐体２と、この筐体２の前方開口部１に左縁を回動軸３側として開閉自在に取り付けられた遊技面を構成する前扉４とを備えている。
【００２５】
上記前扉４の上部には上部ランプ５、液晶表示装置６及び左右のスピーカ７Ｌ，７Ｒなどが設けられているとともに、前扉４の中央部には中央パネル８及び中央操作部９が設けられている。液晶表示装置６は、図１５に示すように、前面液晶部６ａと前面液晶用照明部６ｂと後面液晶部６ｃと後面液晶用照明部６ｄとを積層状に重ね合わせたものであり、前側液晶部６ａは透過液晶からなる。中央パネル８は、アクリル板のような透明な合成樹脂板や強化ガラス板などの裏面にシルクスクリーン印刷により絵柄や模様などを施してなり、この中央パネル８には、シルクスクリーン印刷を施さず透明なままの部分である矩形状のリール表示窓１０が形成されている。また、中央操作部９にはメダル投入口１１、スタートレバー１２、３つの停止スイッチ１３，１３，１３及びマックスベットスイッチ１４などが設けられており、中央操作部９よりも下側の前扉４の下部には下部パネル１６、メダル払出口１７及びメダル受け皿１８が設けられている。
【００２６】
一方、上記筐体２内には、前扉４のリール表示窓１０に対向して、リール装置２１が筐体２の奥壁部２ａに固定して配置されている。このリール装置２１は、各々独自に回転する横並びに３つの回転リール２２ａ，２２ｂ，２２ｃを有しており、これらの回転リール２２ａ〜２２ｃの外周面にはそれぞれ複数の図柄（図示せず）が施され、前扉４を閉じた状態で各回転リール２２ａ〜２２ｃ毎３つずつ計９つの図柄が前扉４のリール表示窓１０を通して外部に見えるようになっている。また、筐体２内のリール装置２１上側には、スロットマシンＡの遊技動作を司る主制御基板４３（図９及び図１５参照）を収容する主制御基板ケース２３が筐体２の奥壁部２ａに固定して配置されているとともに、筐体２内のリール装置２１左側には、副制御基板７６（図１５参照）を収納する副制御基板ケース２４が筐体２の左側壁部２ｂに固定して配置されており、筐体２内のリール装置２１下側には電源ユニット２５、ホッパー２６及び補助ホッパー２７が配置されている。
【００２７】
上記前扉４の回動軸３と反対側の右縁には、前扉４を閉じたときその閉状態で施錠するための施錠装置３０が設けられている。この施錠装置３０は、図５ないし図７に詳示するように、前扉４の右縁に沿って取り付けられる基枠体３１と、この基枠体３１の上部及び下部にそれぞれ傾動可能に支持された上下一対のフック部材３２，３３と、上記基枠体３１に沿って上下方向に移動可能に取り付けられかつ上記両フック部材３２，３３が同期して傾動するように連結する連結杆３４と、この連結杆３４を介して上記両フック部材３２，３３が筐体２の前方開口部１の右側縁に設けた受け金具（図示せず）と係合する方向に常時付勢するコイルバネ３５と、上記基枠体３１の中間部に取り付けられたキーシリンダ３６とを有している。キーシリンダ３６は、その先端面の鍵穴（図示せず）が前扉４の表面より突出した状態、又は前扉４の表面側に臨んだ状態で前扉４に組み付けられており、このキーシリンダ３６の基端側の錠軸３６ａには上記連結杆３４に係合するカム板３７が固定されている。そして、前扉４を閉じたときには、各フック部材３２，３３がコイルバネ３５の付勢力を受けて筐体２側の受け金具に係合することにより、前扉４の閉状態で施錠する一方、この閉状態のとき、キーシリンダ３６の鍵穴に鍵を挿入して右に回すと、カム板３７の突出部が連結杆３４に係合するとともに、回動動作によって連結杆３４を上方に押し上げ、この連結杆３４の上方への移動と共にフック部材３２，３３が基枠体３１との支軸回りに回動することによって、施錠が解除されるようになっている。
【００２８】
上記連結杆３４には、キーシリンダ３６の錠軸３６ａ及びカム板３７に対応した位置に一部を切り起こしてなる突起部３８が形成されており、この突起部３８は、施錠装置３０が施錠状態のときカム板３７の突出部と接触又は近接することによって、連結杆３４の上方への移動を規制するようになっている。一方、解錠操作が行われた場合には、突起部３８はカム板３７の回動動作と共に上方に待避することから、突起部３８及び連結杆３４は上方への移動が許容される。このことにより、施錠装置３０が不正に解錠されるのを防止するようになっている。
【００２９】
上記主制御基板ケース２３は、図８及び図９に詳示するように、上ケース４１と下ケース４２とで構成されてなる。この上ケース４１及び下ケース４２は、いずれもアクリル樹脂などの透明な合成樹脂からなり、主制御基板４３を収納して閉じた状態で右側辺に設けた複数（図で６つ）の結合部４４，４４，…のうち、少なくとも１つの結合部４４で特殊形状のピン（図示せず）を用いて結合すると当該結合部４４又はその周辺を破壊しない限り開くことができないようになっている。主制御基板４３には、後述するＣＰＵ７７、ＲＯＭ７８及びＲＡＭ７９（図１５参照）が実装されているだけでなく、後述する遊技に関連する抽選の当選確率を変更するための確率変更部として、押しボタン式の設定スイッチ４５と、この設定スイッチ４５による変更を鍵の挿入操作によって有効化するためのキーシリンダ４６とが実装されている。主制御基板ケース２３の上ケース４１には、この設定スイッチ４５及びキーシリンダ４６を露呈させる略矩形状の露呈孔４７が設けられているとともに、この露呈孔４７を開閉するための設定蓋４８が支軸４９回りに略９０度の範囲で回動可能に取り付けられている。この設定蓋４８は、支軸４９回りに装着したねじりバネ５０（図１１参照）により開方向に付勢されており、設定蓋４８の支軸４９と反対側の縁部である開放端部４８ａは、その外面側が円弧状に湾曲した曲面に形成され、この開放端部４８ａの中央部には、上ケース４１の露呈孔４７縁部に突設したフック部５１に係合して設定蓋４８を閉状態に保持する切り欠き部５２が形成されている。
【００３０】
上記前扉４の裏面の上部には、図３及び図４に示すように、上記主制御基板ケース２３の露呈孔４７ないし設定蓋４８に対応する位置から後方に向かって突出する突出部として、副制御基板の一種である液晶駆動基板８６（図１５参照）を収納する副制御基板ケースとしての液晶駆動基板ケース５３が長手方向の一端面を前扉４の裏面に接合して取り付けられており、この液晶駆動基板ケース５３は、前扉４が筐体２の前方開口部１に閉じられたとき、その長手方向の他端面である先端面が主制御基板ケース２３の閉状態の設定蓋４８に当接するように大きさ、特に長手方向の長さが設定されている。液晶駆動基板ケース５３の先端面には、図１０に示すように、上記設定蓋４８に対応した略矩形状の第１の凹部５４が設けられているとともに、この第１の凹部５４の底面に上記フック部５１に対応した第２の凹部５５が設けられており、第１の凹部５４は、その上縁から底面に向かって円弧状に湾曲する曲面５４ａを有し、この曲面５４ａ及び底面により接触面５６が構成されている。そして、図１１に示すように、設定蓋４８が開状態のまま前扉４を閉じたとき、上記接触面５６が設定蓋４８の開放端部４８ａと接触して設定蓋４８を閉じるようになっており、上記第２の凹部５５は、前扉４を閉じたとき、フック部５１が嵌り込むようになっている。また、液晶駆動基板ケース５３の先端面には、第１の凹部５４以外の箇所にウレタン樹脂などからなるチャンネル薄板状の緩衝材５７が固着されている。
【００３１】
上記副制御基板ケース２４は、図１２に示すように、縦長のボックス状のものであって、取付面である筐体２の左側壁部２ｂの内面に対し、下端面を左右一対のアングル状の支え金具６１，６１で支持した上、上端面に突設した１つのビス止め部６２でビス止めを行うだけで簡易に取り付けられるようになっている。
【００３２】
上記ホッパー２６は、前扉４のメダル投入口１１から投入されたメダルを回収して貯留するとともに、主制御基板４３の制御指令に基づいて所定枚数の貯留メダルを前扉４のメダル払出口１７からメダル受け皿１８に払い出すようになっている。メダル払出口１７は、正面から見て逆台形状に形成されていて、払出口１７からメダルがメダル受け皿１８に円滑に払い出されるようになっている。また、ホッパー２６の右側部つまり補助ホッパー２７側の部位には筐体２の奥行き方向に延びる板状のガイド部６４が形成されていて、補助ホッパー２７を筐体２内に出し入れする際このガイド部６４によりガイド機能を発揮するようになっている。
【００３３】
さらに、上記補助ホッパー２７は、図１３及び図１４に拡大詳示するように、底部に比較的大きな開口部６６を有し、ホッパー２６から貯留メダルを回収するメダル自動回収装置（図示せず）を装備する場合、この補助ホッパー２７の開口部６６に回収ダクトを通し得るようになっている。メダル自動回収装置を装備しない場合、補助ホッパー２７の開口部６６は、金属製の底板６７により閉塞されるようになっており、この底板６７は、補助ホッパー２７の前面側に設けたスリット６８を通して差し込み方式によって装着する構成になっている。底板６７の一端（前端）には、スリット６８の入り口に引っ掛かる屈曲部６７ａが形成され、この屈曲部６７ａで筐体２の底板部内面と当接するようになっている。そして、筐体２の底板部内面には、図示していないが、停電解除部材が設けられており、補助ホッパー２７内に貯留されたメダルは、底板６７を通じてこの停電解除部材により帯電が解除されるようになっている。
【００３４】
図１５はスロットマシンＡの制御系の構成を示す。この図において、遊技者の遊技操作に関連するスタートレバー１２、停止スイッチ１３及びマックスベットスイッチ１４の各信号は、全て制御部７０に入力されるようになっており、また、遊技の当選確率の設定に関連する設定スイッチ４５の信号及びキーシリンダ４６への鍵の挿入を検知するキースイッチ７１の信号も制御部７０に入力される。７２は前扉４の開閉状態を検知する第１の検知手段としてのドアセンサ、７３は主制御基板ケース２３の設定蓋４８の開閉状態を検知する第２の検知手段としての蓋センサであり、この両センサ７２，７３は、いずれも検知対象物（つまり前扉４又は設定蓋４８）の開度を検知するものであり、その検知信号は共に制御部７０に入力される。
【００３５】
上記制御部７０は、各種センサ・スイッチ類１２〜１４，４５，７１〜７３の信号をＩ／Ｏポート７４を通して受ける主制御部７５と、この主制御部７５の制御指令を受ける副制御部を構成する副制御基板７６及び液晶駆動基板８６とを備えている。主制御部７５は、制御主体であるＣＰＵ７７と、プログラム及び固定データなどを格納するＲＯＭ７８と、データの読み書きなどに用いられるＲＡＭ７９とを有し、遊技状態に応じて、ドライバ回路８０を介してホーパー２６（詳しくはその駆動部）、リール装置２１のモータ駆動部であるリール駆動部８１及び停止スイッチ有効ランプ８２に対しそれぞれ動作指令を出力するとともに、副制御基板７６に制御指令を出力するようになっている。停止スイッチ有効ランプ８２は、停止スイッチ１３に内蔵されたもので、停止スイッチ１３が有効状態であるときに点灯するようになっている。ここで、主制御基板４３は、主制御部７５とＩ／Ｏポート７４に加えて、設定スイッチ４５とキースイッチ７１ないしキーシリンダ４６とを含んでなる。
【００３６】
上記副制御基板７６は、主制御部７５と同じくＣＰＵ８３とＲＯＭ８４とＲＡＭ８５とを有し、主制御部７５の制御指令に基づいて、液晶駆動基板８６に動作指令を出力する。この液晶駆動基板８６は、図示していないが、ドライバ回路の外に、液晶表示装置６の前面液晶部６ａ及び後面液晶部６ｃで各々表示する演出表示のデータなどを記憶する記憶部を有し、液晶表示装置６の前面液晶部６ａ、前面液晶用照明部６ｂ、後面液晶部６ｃ及び後面液晶用照明部６ｄを制御するようになっている。また、副制御基板７６は、ドライバ回路８７を介して上部ランプ５などのランプ及びスピーカ７Ｌ，７Ｒにもそれぞれ動作指令を出力するようになっており、後述する主制御部７５の抽選結果に関連した種々の演出表示を行うようになっている。
【００３７】
上記主制御部７５による制御のうち、スロット遊技の制御は、図示していないが、先ず、メダル投入口１１へのメダル投入又はマックスベットスイッチ１４の操作が行われた後にスタートレバー１２が操作されたとき、リール装置２１の回転リール２２ａ〜２２ｃを回転させるとともに、乱数抽選を行う。この乱数抽選においては、発生した乱数を、スタートレバー１２が操作されたことに基づいて取得する処理を行う。主制御部７５は、乱数の値に対応して、ビッグボーナスやレギュラーボーナスなどのボーナス賞、及び小役などその他の賞、再遊技役、はずれなどを定めた抽選テーブルをＲＯＭ７８に記憶している。この抽選テーブルにおいては、各賞は、対応する乱数値の数によって所定の確率で当選するように設定されている。そして、取得した乱数値に対応する賞を抽選テーブルにより判定することで、乱数抽選が行われる。また、この通常ゲーム中に用いる抽選テーブルは、対応する乱数値の数の相違により、賞の当選確率が互いに異なった値に設定されたものが複数、本実施形態ではボーナス賞の確率が異なるものが６つ用意されている。この抽選テーブルは、遊技に先立って、予め１つが選択され設定されるようになっている。乱数抽選の結果、各賞に当選するとその賞に応じたフラグ、例えばボーナスフラグや小役フラグなどが立てられる。尚、６つの抽選テーブルは、通常、設定値１〜６として区別されている。この設定値は、一旦設定が行われると次回変更が行われるまで維持される。
【００３８】
続いて、各停止スイッチ１３が操作されたとき、それに対応したリール装置２１の回転リール２２ａ〜２２ｃを停止させる。その際、フラグが立っているときには、停止スイッチ１３の操作タイミングが若干ずれていても、停止操作の位置から所定駒数、ここでは４駒以内にフラグに相当する図柄が存在する場合はその図柄がリール表示窓１０の有効化された入賞ライン上に揃うようにいわゆる引き込み制御を行う。この引き込み制御は、停止操作位置に応じて回転リール２２ａ〜２２ｃの停止位置を定めた停止制御テーブルに基づいて行われる。この停止制御テーブルも、主制御部７５のＲＯＭ７８に記憶されている。この停止制御テーブルにおいては、図柄を引き込めないときの停止位置、及び抽選がはずれたときの停止位置も定められている。また、重複当選や、後述する持ち越しなどによって賞が重複した場合は、再遊技、ボーナス、小役の順に優先的に入賞ライン上に図柄が揃うように制御される。
【００３９】
そして、リール装置２１の３つの回転リール２２ａ〜２２ｃが全て停止したとき、リール表示窓１０の有効化された入賞ライン上に入賞図柄が揃うとホッパー２６を作動させて所定枚数のメダルを払出口１７から払い出すとともに、上部ランプ５などのランプ及びスピーカ７Ｌ，７Ｒを作動させて遊技演出を行う。一回の遊技が終了すると小役フラグなどはクリアされるが、ボーナスフラグは立ったまま次の遊技にまで持ち越される。このボーナスフラグの持ち越し処理は、入賞ライン上に相当する図柄が揃うまで継続される。ビッグボーナスやレギュラーボーナスに抽選で当選し、かつこれらに相当する図柄が入賞ライン上に揃った場合、次回ゲームからボーナスゲームモードが設定される。このボーナスゲームモードでは、抽選処理の判定は、ボーナスゲーム抽選テーブルを用いて行われる。このボーナスゲーム抽選テーブルは、主制御部７５のＲＯＭ７８に記憶されており、乱数値の数の割り振りによって、小役に当選する確率が通常時の１０倍程度になるように設定されている。ボーナスゲームモードは、遊技者によるメダルの獲得枚数が所定数になるまで継続される。例えばビッグボーナスの場合３４５枚、レギュラーボーナスの場合１１９枚などと設定される。つまり、ボーナスゲームモードは、遊技者が通常ゲーム状態と比較してメダルを大量に獲得できる有利な状態であり、主制御部７５によるボーナスゲームモード実行機能は、有利状態発生手段として働くものである。これらのことから、スロット遊技では、通常ゲーム状態におけるボーナスの抽選における当選確率によって、ボーナスゲームモードなどの有利状態が発生する確率が変化することになる。換言すれば、選択設定された抽選テーブルが設定値１〜６のいずれであるかによってボーナスの当選確率が異なり、これに伴って遊技媒体としてのメダルの払出率が変わることになる。尚、ここでは有利状態としてボーナスゲームモードを例示し、ボーナスの当選確率が異なるものを例示して設定値としているが、有利状態としては、ボーナスゲームモードに限らず、遊技者のメダル獲得に関する条件が有利になる状態であればよく、また、複数ゲームに跨って行われるものでも、１ゲーム内でのみ有効なものであってもよい。つまり、設定値の相違によって異なるものとしては、ボーナス以外の小役などに割り当てられた確率であったり、再遊技が高確率で当選する状態である再遊技高確率状態の発生確率であったりしてもよい。店舗側では、スロットマシンＡの稼働率や売り上げの状態を見て、設定値を台毎に適切に設定し、これによって収益を計るようにしている。このため、設定値を不正に変更された場合、多大な損害を被ることになる。抽選テーブルを設定値１〜６のいずれかに選択するためのものが、設定スイッチ４５とキーシリンダ４６であり、また、抽選テーブルを設定するときの制御は、図１６に示すフローチャートに従って行われる。
【００４０】
すなわち、図１６において、スタートした後、先ず、ステップＳ１でキースイッチ７１がオンか否かを判定し、その判定がＹＥＳのときにはステップＳ２以降に進むが、判定がＮＯのときには、直ちに制御を終了する。ステップＳ２では、蓋センサ７３がオン、つまり設定蓋４８が閉状態になっているか否かを判定し、ステップＳ３では、ドアセンサ７２がオン、つまり前扉４が閉状態になっているか否かを判定する。設定蓋４８又は前扉４が閉状態でキースイッチ７１がオンになるのは異常であることから、上記両ステップＳ２，Ｓ３のいずれか一方の判定がＹＥＳのときには、ステップＳ１４で異常処理を行い、制御を終了する。ステップＳ１４の異常処理としては、設定値の選択変更を有効化しないだけでなく、例えば停止スイッチ有効ランプ８２を点滅させて警報を発することなどである。
【００４１】
一方、上記両ステップＳ２，Ｓ３の判定が共にＮＯのときには、ステップＳ４で設定変更許可状態を設定し、ステップＳ５で設定スイッチ４５の押し操作があるか否かを判定する。この判定がＹＥＳの押し操作があったときには、ステップＳ６で設定値にプラス１を加算するが、ステップＳ７でその設定値が「７」であると判断したときには、ステップＳ８で設定値を「１」にする。ステップＳ５〜Ｓ８では、設定スイッチ４５の押し操作に応じて設定値を「１」〜「６」のいずれかに選択設定するものである。
【００４２】
続いて、ステップＳ９でスタートレバー１２が操作されるのを待った後、ステップＳ１０で選択された設定値を仮確定する。その後、ステップＳ１１でドアセンサ７２がオン、つまり前扉４が閉状態になるのを待ち、ステップＳ１２で蓋センサ７３がオン、つまり設定蓋４８が閉状態になっているか否かを判定する。この判定がＹＥＳのときには、ステップＳ１３で選択された設定値を確定し、制御を終了する一方、判定がＮＯのときには、ステップＳ１４で異常処理を行い、制御を終了する。
【００４３】
本実施形態の場合、上記ドアセンサ７２及び蓋センサ７３がいずれも検知対象物である前扉４及び設定蓋４８の開度を検知するものであることに対応して、主制御部７５は、上述の制御と並行して、図１７に示す開状態判定のルーチンを実行する。
【００４４】
この開状態判定のルーチンにおいては、ステップＳ２１でドアセンサ７２又は蓋センサ７３の信号から一定以上の開度か否かを判定し、その判定がＹＥＳのときには、ステップＳ２２で開閉フラグＦ０に「１」を設定し、リターンする一方、判定がＮＯのときには、ステップＳ２３で開閉フラグＦ０に「０」を設定し、リターンする。
【００４５】
次に、上記第１の実施形態の作用効果について説明するに、前扉４が筐体２の前方開口部１に閉じられているときには、前扉４の裏面の上部に取り付けた液晶駆動基板ケース５３が、筐体２の奥壁部２ａに取り付けた主制御基板ケース２３の露呈孔４７ないし設定蓋４８に向かって突出し、その先端面が設定蓋４８に当接しているため、仮に前扉４と筐体２の隙間などから針金などを筐体２内に差し込んだとしてもその針金などで主制御基板ケース２３の露呈孔４７から主制御基板４３のキーシリンダ４６及び設定スイッチ４５を操作することはできない。この結果、前扉４を開けることなく、ボーナス抽選の設定値を当選確率の高いものに不正に変更するという不正行為を確実に防止することができる。
【００４６】
一方、店員などが前扉４を開けてスロット遊技の設定値の変更作業を行うときには、前扉４の開動作に伴って上記液晶駆動基板ケース５３の先端面が主制御基板ケース２３の設定蓋４８から大きく離間するため、この設定蓋４８を開けた上で、主制御基板ケース２３の露呈孔４７から露呈する主制御基板４３のキーシリンダ４６及び設定スイッチ４５を操作して設定値の選択変更を容易に行うことができる。しかも、設定蓋４８は、その切り欠き部５２が主制御基板ケース２３のフック部５１と係合して露呈孔４７を閉塞する閉状態から切り欠き部５２とフック部５２との係合を解除すると、ねじりバネ５０の付勢力によって開かれ、開状態に保持されるため、この設定蓋４８が設定値の変更作業に支障となることはなく、作業性の向上に寄与することができる。
【００４７】
また、上記設定値の変更作業の後に設定蓋４８を閉め忘れにより開状態のまま前扉４を閉じたときには、図１１に示すように、液晶駆動基板ケース５３の先端面に形成した第１の凹部５１の接触面５６が設定蓋４８の開放端部４８ａと接触して、設定蓋４８がねじりバネ５０の付勢力に抗して閉じられるため、閉じ忘れを補うことができる上、設定蓋４８によって上述した不正行為をより確実に防止することができる。
【００４８】
さらに、主制御部７５ないし主制御基板４３による制御においては、前扉４の開閉状態を検知するドアセンサ７２の信号と主制御基板ケース２３の設定蓋４８の開閉状態を検知する蓋センサ７３の信号とを受け、前扉４の開閉状態及び主制御基板ケース４３の設定蓋４８の開閉状態に基づいてキーシリンダ４６及び設定スイッチ４５による変更操作が異常であるか否かを判断し、異常と判断したときには異常処理として設定値の選択変更を無効にするため、前扉４及び設定蓋４８を閉じたまま主制御基板４３のキーシリンダ４６及び設定スイッチ４５を操作して設定値を当選確率の高いものに不正に変更する不正行為をより一層確実に防止することができる。
【００４９】
その上、上記ドアセンサ７２及び蓋センサ７３は、それぞれ前扉４及び設定蓋４８の開度を検出するものであり、上記主制御部７５ないし主制御基板４３は、一定開度以上のときのみを開状態と判断するため、誤った開閉状態の判断に基づいた異常判断ないし異常処理を行うのを防止することができ、制御の信頼性を高めることができる。
【００５０】
図１８及び図１９は本発明の第２の実施形態に係る遊技機としてのスロットマシンＢを示す。上記第１の実施形態の如く前扉４の上部に設けた液晶表示装置６が前面液晶部６ａと前面液晶用照明部６ｂと後面液晶部６ｃと後面液晶用照明部６ｄとを積層状に重ね合わせてなる場合（図１５参照）、この液晶表示装置６の本体である液晶ディバイスユニット９０は、大型になりかつ発熱量も多くなることから、第２の実施形態は、この発熱量の対策をも考慮したものである。
【００５１】
すなわち、前扉４の裏面の上部には、副制御基板の一種である液晶駆動基板を収納する副制御基板ケースとしての液晶駆動基板ケース９１が液晶表示装置６の液晶ディバイスユニット９０を介在して取り付けられている。この液晶ディバイスユニット９０は前扉４に組み付けられており、上記液晶駆動基板ケース９１は、その前面を液晶ディバイスユニット９０の後面に所定距離を隔てて対向させかつ複数の支柱９２，９２，…を介して液晶ディバイスユニット９０に固定されている。この液晶駆動基板ケース９１と液晶ディバイスユニット９０との間には、液晶ディバイスユニット９０の駆動によって発生した熱を放散するための放熱空間９３が形成されている。また、図示していないが、液晶ディバイスユニット９０の後面には、内部で発生した熱を外側に放出するための放熱穴が形成されているとともに、液晶ディバイスユニット９０の内部には、この放熱穴に対向して、ファンが設けられている。そして、駆動中はこのファンの回転により内部の空気を放熱穴を通じて外に排出するようになっており、放熱穴及びファンは、液晶ディバイスユニット９の後面の左右両側に一対設けられている。液晶駆動基板ケース９１は、筐体２の奥壁部２ａに取り付けた主制御基板ケース２３の設定蓋４８に向かって突出し、その後面である先端面が主制御基板ケース２３の設定蓋４８に近接するように設けられている。上記各支柱９２は、液晶駆動基板ケース９１及び液晶ディバイスユニット９０の少なくとも一方と一体に成形してもよく、また両方と別体に成形してもよい。
【００５２】
また、上記放熱空間９３を形成する液晶ディバイスユニット９０の後面及び液晶駆動基板ケース９１の前面には、それぞれ全面又は一部に上方に向かって後方に傾斜する傾斜面９４，９５が形成されている。筐体２の天板部２ｃには、この傾斜面９４，９５の延長線上に放熱孔９６が設けられており、この放熱孔９６には複数の小孔９７，９７，…を有する防護プレート９８が装着されている。尚、スロットマシンＢのその他の構成は、第１の実施形態におけるスロットマシンＡの場合と略同じであり、同一の部材・部品には同一の符号を付してその説明は省略する。
【００５３】
そして、上記第２の実施形態においても、前扉４が筐体２の前方開口部１に閉じられているときには、前扉４の裏面の上部に取り付けた液晶駆動基板ケース９１が、筐体２の奥壁部２ａに取り付けた主制御基板ケース２３の設定蓋４８に向かって突出し、その先端面が設定蓋４８に近接しているため、仮に前扉４と筐体２の隙間などから針金などを筐体２内に差し込んだとしてもその針金などで主制御基板ケース２３の露呈孔４７から主制御基板４３のキーシリンダ４６及び設定スイッチ４５（いずれも図９参照）を操作することはできず、ボーナス抽選の設定値を当選確率の高いものに不正に変更する不正行為を確実に防止することができる。また、以下のような特有の効果をも奏することができる。
【００５４】
すなわち、上記液晶駆動基板ケース９１は、前扉４の裏面の上部に対し、液晶表示装置６の液晶ディバイスユニット９０を介在して取り付けられており、かつこの液晶駆動基板ケース９１と液晶ディバイスユニット９０との間に放熱空間９３が形成されているため、液晶ディバイスユニット９０の駆動によって発生した熱を放熱空間９３によって放散することができるとともに、液晶駆動基板ケース９１の主制御基板ケース２３側への突出寸法ないし近接寸法を適宜調整することができ、実施化を図る上で有利である。
【００５５】
その上、上記放熱空間９３に放出された熱は、液晶ディバイスユニット９０の後面及び液晶駆動基板ケース５３の前面にそれぞれ形成した傾斜面９４，９５に沿って上昇し、その延長線上の筐体天井部２ｃに設けた放熱孔９６を通して外部に円滑に放出されるため、放熱効率を大幅に高めることができる。しかも、放熱孔９６が筐体天井部２ｃの後寄り位置に設けられているため、遊技者側から見えるスロットマシンＢの外観を損なったり、外部に放出した熱が遊技者側に流れたりすることはなく、実施化を図る上で非常に有効なものである。
【００５６】
尚、本発明は上記第１及び第２の実施形態に限定されるものではなく、その他種々の形態を包含するものである。例えば上記各実施形態では、主制御基板ケース２３に、主制御基板４３上に実装した設定スイッチ４５及びキーシリンダ４６を露呈させる露呈孔４７を設けるとともに、この露呈孔４７を開閉するための設定蓋４８を回動可能に設ける構成にしたが、本発明は、主制御基板ケース２３に設定蓋４８を設けない場合でも、前扉４の裏面上部に取り付けた液晶駆動基板ケース５３，９１の先端面が、前扉４の閉状態のとき主制御基板ケース２３の露呈孔４７周辺に当接し、あるいは近接することによって、不正行為の防止効果を発揮することができる。
【００５７】
また、上記第１の実施形態では、主制御基板４３に、遊技に関連する抽選の当選確率を変更するための確率変更部として、押しボタン式の設定スイッチ４５と、この設定スイッチ４５による変更を鍵の挿入操作によって有効化するためのキーシリンダ４６とを設けたが、本発明は、これに限らず、例えば押しボタン式の設定スイッチ４５の代わりに、回動タイプのジョグダイヤル、スライドタイプのレバー、タッチセンサ、光電センサなどを設けた場合、あるいは設定スイッチを省略し、キーシリンダでの鍵の回転操作角度によってスイッチ機能を発揮する場合などにも同様に適用することができるのは勿論である。また、主制御基板４３に確率変更部を設ける構成としては、主制御基板の他の機能と、確率変更部を物理的に別の基板として構成し、この両基板を接続線で接続した上で同一の基板ケース内に収納する概念のものなどを含む意味である。
【００５８】
さらに、上記第２の実施形態では、前扉４の裏面の上部に、液晶表示装置６の液晶ディバイスユニット９０を介在して液晶駆動基板ケース９１を取り付ける構造において、液晶ディバイスユニット９０と液晶駆動基板ケース９１との間に、液晶駆動基板ケース９１を支持するための複数の支柱９２を設けたが、本発明は、液晶駆動基板ケース９１を支持する支持部としては、支柱又は支柱状のものに限らず、両者間に放熱空間９３を形成しつつ液晶駆動基板ケース９１を支持できるものであればよい。例えば、左右両側に支持壁の如き形状のものを形成してもよい。
【００５９】
加えて、上記各実施形態では、筐体２の奥壁部２ａ内面の上部に主制御基板ケース２３を取り付ける一方、前扉４の裏面の上部に液晶駆動基板ケース５３，９１を取り付ける場合について述べたが、本発明は、この主制御基板ケース２３と液晶駆動基板ケース５３，９１の取付箇所を反対にしたり、筐体２の奥壁部２ａ以外の、例えば左側壁部２ｂ内面に主制御基板ケースを取り付けたりした場合にも適用することができる。
【００６０】
また、上記各実施形態では、前扉４の上部に取り付ける液晶表示装置６として、前面液晶部６ａと後面液晶部６ｃの２枚液晶を積層したものを用いた場合について述べたが、本発明は、これに限定されるものではなく、１枚の液晶部からなる大型の液晶表示装置を用いた場合にも、液晶表示装置の発熱が多くなることから、特に第２の実施形態の如き放熱機構を併用することが有効である。また、３枚以上の液晶部を積層してなる液晶表示装置を用いた場合にも適用できるのは勿論である。
【００６１】
さらにまた、上記各実施形態では、いずれも前扉２の上部に取り付けられる液晶表示装置６を制御する副制御基板としての液晶駆動基板８６を収納する液晶駆動基板ケース５３，９１を突出部として利用し、前扉４が筐体２の前方開口部１に閉じられたとき、この液晶駆動基板ケース５３，９１の先端面が筐体２の奥壁部２ａ内面に取り付けた主制御基板ケース２３の露呈窓４７ないし設定蓋４８に当接し、あるいは近接するように構成したが、本発明は、この液晶駆動基板ケースに限らず、その他の基板ケース又は装置を突出部として利用してよい。要は、筐体２の内面及び前扉４の裏面のうち、主制御基板ケースの非取付側に、主制御基板ケースの露呈孔に向かって突出する副制御基板ケース又はこれに代わる突出部を設け、この突出部を、前扉４が筐体２の前方開口部１に閉じられたとき、先端面が主制御基板ケースの露呈孔周辺に当接し、あるいは近接するように設ける構成にすればよいのである。
【図面の簡単な説明】
【００６２】
【図１】本発明の第１の実施形態に係るスロットマシンの斜視図である。
【図２】上記スロットマシンの前扉を外した状態の正面図である。
【図３】スロットマシンの前扉を開けた状態の概略構成を示す斜視図である。
【図４】図３のＸ−Ｘ線における前扉の閉状態を示す拡大断面図である。
【図５】前扉の施錠装置の背面図である。
【図６】同じく施錠装置の分解側面図である。
【図７】連結杆の側面図である。
【図８】主制御基板ケースの設定蓋が閉状態の斜視図である。
【図９】同じく主制御基板ケースの設定蓋が開状態の斜視図である。
【図１０】液晶駆動基板ケース及びその先端面に固着される緩衝材の分解斜視図である。
【図１１】開状態の設定蓋が前扉側の液晶駆動基板ケースとの接触により閉じられる動作を説明するための動作説明図である。
【図１２】（ａ）は副制御基板ケースの取付状態を示す平面図、（ｂ）は同左側面図である。
【図１３】補助ホッパーの一部切開斜視図である。
【図１４】図１３のＹ−Ｙ線における断面図である。
【図１５】スロットマシンの制御系のブロック構成図である。
【図１６】抽選テーブルを設定するときの制御のフローチャート図である。
【図１７】開状態判定ルーチンのフローチャート図である。
【図１８】第２の実施形態を示す図３相当図である。
【図１９】図１８のＺ−Ｚ線における前扉の閉状態を示す拡大断面図である。
【符号の説明】
【００６３】
Ａ，Ｂ    スロットマシン（遊技機）
１    前方開口部
２    筐体
２ａ  奥壁部
４    前扉
６    液晶表示装置
２３    主制御基板ケース
４３    主制御基板
４５    設定スイッチ（確率変更部）
４６    キーシリンダ（確率変更部）
４７    露呈孔
４８    設定蓋
５３，９１    液晶駆動基板ケース（副制御基板ケース）
５６    接触面
７２    ドアセンサ（第１の検知手段）
７３    蓋センサ（第２の検知手段）
８６    液晶駆動基板（副制御基板）
９０    液晶ディバイスユニット
９３    放熱空間
９４，９５    傾斜面
９６    放熱孔
【図１】
0005014904.tif 000002
【図２】
0005014904.tif 000003
【図３】
0005014904.tif 000004
【図４】
0005014904.tif 000005
【図５】
0005014904.tif 000006
【図６】
0005014904.tif 000007
【図７】
0005014904.tif 000008
【図８】
0005014904.tif 000009
【図９】
0005014904.tif 000010
【図１０】
0005014904.tif 000011
【図１１】
0005014904.tif 000012
【図１２】
0005014904.tif 000013
【図１３】
0005014904.tif 000014
【図１４】
0005014904.tif 000015
【図１５】
0005014904.tif 000016
【図１６】
0005014904.tif 000017
【図１７】
0005014904.tif 000018
【図１８】
0005014904.tif 000019
【図１９】
0005014904.tif 000020